(57)【要約】【課題】従来の空気調和機においては、ポンプダウン時間を配管長設定により一義的に設定しており、接続配管及び室内機の冷媒が確実に室外機に回収できたかの判断が困難である。また、圧縮機停止のタイミングが不明確であることから、圧縮機停止後ガス側閉鎖弁を閉めた際、接続配管及び室内機に冷媒が残りそのまま接続配管を外すことで冷媒を大気に放出してしまうという課題を有していた。【解決手段】低圧圧力スイッチ７を装着し、ポンプダウン時に低圧圧力スイッチ動作後経時的に時間カウント表示を行って、一定時間経過すると圧縮機１２の停止を行うことにより、接続配管１１及び室内機２の冷媒を確実に回収した後、圧縮機停止までの時間を明確に表示して接続配管及び室内機に冷媒が残ることのないポンプダウンを行うことができる。【選択図】図３
2008157512.tif 000002
【特許請求の範囲】
【請求項１】
室外機と室内機を分離して設置し配管で接続する空気調和機において、前記室外機に、圧縮機、室外熱交換機、室外ファン、配管接続口に装着した液管閉鎖弁とガス側閉鎖弁、前記圧縮機の吸入配管に装着した大気圧以下で動作する低圧圧力スイッチ、ポンプダウン開始手段、ポンプダウン終了手段、低圧圧力スイッチ動作判定手段、前記低圧圧力スイッチ動作判定手段の結果を入力としたポンプダウン完了表示手段を備え、前記ポンプダウン開始手段の操作により圧縮機運転を開始し、前記低圧圧力スイッチ動作判定で圧縮機運転を停止することなく前記ポンプダウン完了表示手段を表示して、前記ポンプダウン終了手段の操作により運転停止するように制御してポンプダウンすることを特徴とする空気調和機。
【請求項２】
低圧圧力スイッチ動作後時間カウント手段、低圧圧力スイッチ動作後時間カウント表示手段、低圧圧力スイッチ動作後時間しきい値判定手段を備え、低圧圧力スイッチ動作判定結果を入力として低圧圧力スイッチ動作後時間カウントを開始し、低圧圧力スイッチ動作後時間カウント表示を行い、低圧圧力スイッチ動作後時間しきい値以上経過すると圧縮機を自動停止するように制御してポンプダウンすることを特徴とする請求項１に記載の空気調和機。
【請求項３】
圧縮機の吸入配管に装着した吸入圧力検出手段、吸入圧力表示手段、ポンプダウン吸入圧力しきい値判定手段、ポンプダウン吸入圧力しきい値後時間カウント手段、ポンプダウン吸入圧力しきい値後時間カウント表示手段、ポンプダウン吸入圧力しきい値後時間しきい値判定手段を備え、ポンプダウン開始手段の操作により圧縮機運転を開始して吸入圧力を表示し、吸入圧力がポンプダウン吸入圧力しきい値以下になれば、ポンプダウン吸入圧力しきい値後時間カウントを開始し、吸入圧力しきい値後時間カウント表示を行い、ポンプダウン吸入圧力しきい値後時間しきい値以上経過すると圧縮機を自動停止するように制御してポンプダウンすることを特徴とする空気調和機。
【請求項４】
低圧圧力スイッチ動作後時間しきい値選択手段を備え、低圧圧力スイッチ動作後時間しきい値を選択してポンプダウンすることを特徴とする請求項２に記載の空気調和機。
【請求項５】
ポンプダウン時間カウント手段、ポンプダウン最大時間しきい値、ポンプダウン未完了表示を備え、ポンプダウン開始手段の操作により圧縮機運転を開始してポンプダウン時間カウントを行い、ポンプダウン最大時間しきい値以上低圧圧力スイッチ動作判定が無ければ圧縮機を自動停止して、ポンプダウン未完了表示を行うことを特徴とする請求項１から４のうちいずれか一項に記載の空気調和機。
【発明の詳細な説明】
【技術分野】
【０００１】
本発明は、室外機と室内機を分離して設置し配管で接続する空気調和機に関するものである。
【背景技術】
【０００２】
従来、この種の空気調和機は、配管長または室外機馬力の状態に応じてポンプダウン運転の所定時間を変化させるといったものがあった（例えば、特許文献１参照）。
【０００３】
図７のフローチャートは、特許文献１に記載された従来の多室形空気調和機を示すものである。図７に示すように、ポンプダウン開始信号受信（Ｓ１０１）によりポンプダウンを開始し、配管長より所定時間設定（Ｓ１０２）を行い所定時間カウント（Ｓ１０６）を行ってカウント満了となれば圧縮機停止（Ｓ１０９）してポンプダウン運転を終了する。
【特許文献１】特開２０００−１６１７４９号公報
【発明の開示】
【発明が解決しようとする課題】
【０００４】
しかしながら、前記従来の構成では、ポンプダウン時間を配管長設定により一義的に設定しており、環境温度条件を考慮できていないことから接続配管及び室内機の冷媒が確実に室外機に回収できたかの判断が困難である。また、圧縮機停止のタイミングが不明確であることから、圧縮機停止後ガス側閉鎖弁を閉めた際、接続配管及び室内機に冷媒が残りそのまま接続配管を外すことで冷媒を大気に放出してしまうという課題を有していた。
【０００５】
本発明は、前記従来の課題を解決するもので、低圧圧力スイッチを装着しポンプダウン時に低圧圧力スイッチ動作後経時的に時間カウント表示を行って、一定時間経過すると圧縮機停止を行うことにより、接続配管及び室内機の冷媒を確実に回収した後圧縮機停止までの時間を明確に表示して接続配管及び室内機に冷媒が残ることのないポンプダウンが可能な空気調和機を提供することを目的とする。
【課題を解決するための手段】
【０００６】
前記従来の課題を解決するために、本発明の空気調和機は、室外機と室内機を分離して設置し配管で接続する空気調和機において、前記室外機に、圧縮機、室外熱交換機、室外ファン、配管接続口に装着した液管閉鎖弁とガス側閉鎖弁、前記圧縮機の吸入配管に装着した大気圧以下で動作する低圧圧力スイッチ、ポンプダウン開始手段、ポンプダウン終了手段、低圧圧力スイッチ動作判定、前記低圧圧力スイッチ動作判定結果を入力としたポンプダウン完了表示手段を備え、前記ポンプダウン開始手段の操作により圧縮機運転を開始し、前記低圧圧力スイッチ動作判定で圧縮機運転を停止することなく前記ポンプダウン完了表示手段を表示して、前記ポンプダウン終了手段の操作により運転停止するように制御してポンプダウンすることを特徴としたものである。
【０００７】
これによって、ポンプダウン開始手段操作で圧縮機運転を開始し、液管閉鎖弁を閉め冷媒回収を開始し、大気圧以下で動作する低圧圧力スイッチが動作した後、圧縮機運転を停止することなくポンプダウン完了表示手段を表示してタイミングを明確に知らせ、そしてガス側閉鎖弁を閉めた後ポンプダウン終了手段操作で圧縮機停止することにより接続配管及び室内機に冷媒が残ることのなくポンプダウンを行うことができる。
【発明の効果】
【０００８】
本発明の空気調和機は、ポンプダウン開始手段操作で圧縮機運転を開始し、液管閉鎖弁
を閉め冷媒回収を開始し、大気圧以下で動作する低圧圧力スイッチが動作した後、圧縮機運転を停止することなくポンプダウンが完了したことの表示を行い、ガス側閉鎖弁を閉めて圧縮機を停止することにより、ガス側閉鎖弁を閉めるタイミング及び圧縮機停止タイミングを明確にユーザーに示すことができ接続配管及び室内機に冷媒が残ることがなくポンプダウンを行うことができる。
【発明を実施するための最良の形態】
【０００９】
第１の発明は、室外機と室内機を分離して設置し配管で接続する空気調和機において、前記室外機に、圧縮機、室外熱交換機、室外ファン、配管接続口に装着した液管閉鎖弁とガス側閉鎖弁、前記圧縮機の吸入配管に装着した大気圧以下で動作する低圧圧力スイッチ、ポンプダウン開始手段、ポンプダウン終了手段、低圧圧力スイッチ動作判定、前記低圧圧力スイッチ動作判定結果を入力としたポンプダウン完了表示手段を備え、前記ポンプダウン開始手段の操作により圧縮機運転を開始し、前記低圧圧力スイッチ動作判定で圧縮機運転を停止することなく前記ポンプダウン完了表示手段を表示して、前記ポンプダウン終了手段の操作により運転停止するように制御してポンプダウンすることを特徴としたものである。
【００１０】
これによって、ポンプダウン開始手段操作で圧縮機運転を開始し、液管閉鎖弁を閉め冷媒回収を開始し、大気圧以下で動作する低圧圧力スイッチが動作した後、圧縮機運転を停止することなくポンプダウン完了表示手段を表示してタイミングを明確に知らせ、そしてガス側閉鎖弁を閉めた後ポンプダウン終了手段操作で圧縮機停止することにより接続配管及び室内機に冷媒が残ることのなくポンプダウンを行うことができる。
【００１１】
第２の発明は、空気調和機において、低圧圧力スイッチ動作後時間カウント手段、低圧圧力スイッチ動作後時間カウント表示手段、前記低圧圧力スイッチ動作後時間しきい値を備え、前記低圧圧力スイッチ動作判定結果を入力として低圧圧力スイッチ動作後時間カウントを開始し、低圧圧力スイッチ動作後時間カウント表示を行い、低圧圧力スイッチ動作後時間しきい値以上経過すると圧縮機を自動停止するように制御してポンプダウンすることを特徴としたものである。
【００１２】
これによって、ポンプダウン開始手段操作で圧縮機運転を開始し、液管閉鎖弁を閉め冷媒回収を開始し、大気圧以下で動作する低圧圧力スイッチが動作した後、圧縮機運転を停止することなく低圧圧力スイッチ動作後時間カウントを開始して低圧圧力スイッチ動作後時間カウント表示を行い、ガス側閉鎖弁を閉めて低圧圧力スイッチ動作後時間しきい値以上経過すると圧縮機を自動停止することにより、ガス側閉鎖弁を閉めるタイミング及び圧縮機停止タイミングを明確にユーザーに示すことができ、接続配管及び室内機に冷媒が残ることのなくポンプダウンを行うことができる。
【００１３】
第３の発明は、空気調和機において、圧縮機の吸入配管に装着した吸入圧力センサー、吸入圧力表示手段、ポンプダウン吸入圧力しきい値、ポンプダウン吸入圧力しきい値後時間カウント手段、ポンプダウン吸入圧力しきい値後時間カウント表示手段、ポンプダウン吸入圧力しきい値後時間しきい値を備え、ポンプダウン開始手段の操作により圧縮機運転を開始して吸入圧力を表示し、吸入圧力がポンプダウン吸入圧力しきい値以下になれば、ポンプダウン吸入圧力しきい値後時間カウントを開始し、吸入圧力しきい値後時間カウント表示を行い、ポンプダウン吸入圧力しきい値後時間しきい値以上経過すると圧縮機を自動停止してポンプダウンすることを特徴したものである。
【００１４】
これによって、ポンプダウン開始手段操作で圧縮機運転を開始し、液管閉鎖弁を閉め冷媒回収を開始して吸入圧力を表示し、吸入圧力がポンプダウン吸入圧力しきい値以下になれば、時間カウントを開始して表示を行い、ガス側閉鎖弁を閉めて、ポンプダウン吸入圧
力しきい値後時間しきい値以上経過すると圧縮機を自動停止することにより、接続配管及び室内機の冷媒が回収されるまでは吸入圧力を表示して吸入圧力の経時変化をユーザーに示し、接続配管及び室内機の冷媒が回収された後は、ガス側閉鎖弁を閉めるタイミング及び圧縮機停止タイミングを明確にユーザーに示すことができ、接続配管及び室内機に冷媒が残ることのなくポンプダウンを行うことかできる。
【００１５】
第４の発明は、空気調和機において、低圧圧力スイッチ動作後時間しきい値選択手段を備え、低圧圧力スイッチ動作後時間しきい値を選択してポンプダウンすることを特徴としたものである。
【００１６】
これによって、設置条件により異なるガス側閉鎖弁の作業性によって低圧圧力スイッチ動作後圧縮機停止までの時間を選択可能とし、接続配管及び室内機に冷媒が残ることのなくポンプダウンを行うことができる。
【００１７】
第５の発明は、空気調和機において、ポンプダウン時間カウント手段、ポンプダウン最大時間しきい値、ポンプダウン未完了表示を備え、ポンプダウン開始手段の操作により圧縮機運転を開始してポンプダウン時間カウントを行い、ポンプダウン最大時間しきい値以上低圧圧力スイッチ動作判定が無ければ圧縮機を自動停止して、ポンプダウン未完了表示を行うことを特徴としたものである。
【００１８】
これによって、一定時間冷媒回収運転を行っても低圧圧力スイッチが動作しなければ、圧縮機を自動停止して、ポンプダウンが未完了であることを表示しポンプダウンをするのに不具合箇所があることをユーザーに示すことができる。
【００１９】
以下、本発明の実施の形態について、図面を参照しながら説明する。なお、この実施の形態によって本発明が限定されるものではない。
【００２０】
（実施の形態１）
図１は、本発明の実施の形態における空気調和機の構成概念図である。図１において、室外機１と室内機２は接続配管１１によって接続されている。室外機１には圧縮機１２、室外熱交換器３、室外ファン４、液管閉鎖弁５、ガス管閉鎖弁６、低圧圧力スイッチ（以降、低圧圧力スイッチは低圧圧力ＳＷと称する）７を装着している。上記冷凍サイクルにおいて、ポンプダウン運転時圧縮機１２を運転後、液管閉鎖弁５を閉めることにより室内機２及び接続配管１１内の冷媒は順次室外熱交換器３に回収され、ガス管閉鎖弁６を閉めることによりポンプダウンすることができる。また、室外機１にはポンプダウン開始スイッチ８、ポンプダウン終了スイッチ９、及びＬＥＤ表示等によるポンプダウン完了表示手段１０を装着している。
【００２１】
図２は実施の形態１における空気調和機のポンプダウン制御のフローチャートである。図２により本発明の第１実施の形態における空気調和機の動作、作用について説明する（以降、動作説明ではスイッチをＳＷと称する）。
【００２２】
ポンプダウンの開始（ＳＴＥＰ０）を、ポンプダウン開始ＳＷ８操作（ＳＴＥＰ１）によって行い、圧縮機１２を運転開始（ＳＴＥＰ２）する。液管閉鎖弁５を閉め（ＳＴＥＰ３）、低圧圧力ＳＷ動作判定手段１３により低圧圧力ＳＷ７の動作判定（ＳＴＥＰ４）を行い、低圧圧力ＳＷ７動作がない場合（ＳＴＥＰ４のＮＯ）は低圧圧力ＳＷ７の動作判定（ＳＴＥＰ４）を継続する。低圧圧力ＳＷ７が動作した場合（ＳＴＥＰ４のＹｅｓ）はポンプダウン完了表示手段１０の表示（ＳＴＥＰ５）を行いポンプダウンが完了状態であることを知らせる。そして、ガス管閉鎖弁６を閉め（ＳＴＥＰ６）た後、ポンプダウン終了ＳＷ９操作（ＳＴＥＰ７）により圧縮機１２は運転停止（ＳＴＥＰ８）しポンプダウンを
終了（ＳＴＥＰ９）する。
【００２３】
上記のことより、ポンプダウン開始スイッチ８の操作で圧縮機１２運転を開始し、液管閉鎖弁５を閉めて冷媒回収を開始し、大気圧以下で動作する低圧圧力スイッチ７が動作した後、圧縮機１２運転を停止することなくポンプダウン完了表示手段１０を表示してタイミングを明確に知らせ、そしてガス側閉鎖弁６を閉めた後ポンプダウン終了スイッチ９操作で圧縮機１２停止することにより、接続配管１１及び室内機２に冷媒が残ることのなくポンプダウンを行うことができる。
【００２４】
（実施の形態２）
図３は、本発明の第２の実施の形態における空気調和機の構成概念図である。図４は同じくポンプダウン制御のフローチャートである。図３、図４において、図１、図２と同じ構成要素については同じ符号を用い説明を省略する。図３、図４により本発明の第２の実施の形態における空気調和機の動作、作用について説明する。
【００２５】
ポンプダウンの開始（ＳＴＥＰ０）を、ポンプダウン開始ＳＷ８操作（ＳＴＥＰ１）によって行い、圧縮機１２を運転開始（ＳＴＥＰ２）する。液管閉鎖弁５を閉め（ＳＴＥＰ３）、低圧圧力ＳＷ動作判定手段１３により低圧圧力ＳＷ７の動作判定（ＳＴＥＰ４）を行い、低圧圧力ＳＷ７動作がない場合（ＳＴＥＰ４のＮｏ）は低圧圧力ＳＷ７の動作判定（ＳＴＥＰ４）を継続する。低圧圧力ＳＷ７が動作した場合（ＳＴＥＰ４のＹｅｓ）は、低圧圧力ＳＷ動作後時間カウント手段１４で時間をカウントし（ＳＴＥＰ１１）、低圧圧力ＳＷ動作後時間カウント表示手段１５で低圧圧力ＳＷ７が動作した後の時間経過を表示する（ＳＴＥＰ１２）。この時ガス管閉鎖弁閉６の閉操作（ＳＴＥＰ１３）を行う。低圧圧力ＳＷ動作後時間しきい値判定手段１６により時間カウント（ＳＴＥＰ１１）が、しきい値Ｔ１以下の場合（ＳＴＥＰ１４のＮｏ）は時間カウント（ＳＴＥＰ１１）、時間カウント表示（ＳＴＥＰ１２）を継続して行い、しきい値Ｔ１を超えた場合（ＳＴＥＰ１４のＹｅｓ）は圧縮機１２の運転を停止（ＳＴＥＰ８）してポンプダウンを終了（ＳＴＥＰ９）する。
【００２６】
上記のことより、ポンプダウン開始スイッチ８の操作で圧縮機１２の運転を開始し、液管閉鎖弁５を閉めて冷媒回収を開始し、大気圧以下で動作する低圧圧力スイッチ７が動作した後、圧縮機１２の運転を停止することなく低圧圧力スイッチ動作後時間カウントを開始して低圧圧力スイッチ動作後時間カウント表示を行い、ガス側閉鎖弁６を閉めて低圧圧力スイッチ動作後時間しきい値Ｔ１以上経過すると圧縮機１２を自動停止することにより、ガス側閉鎖弁６を閉めるタイミング及び圧縮機１２の停止タイミングを明確にユーザーに示すことができ、接続配管及び室内機２に冷媒が残ることなくポンプダウンを行うことができる。
【００２７】
（実施の形態３）
図５は、本発明の第３の実施の形態における空気調和機の構成概念図である。図６は同じくポンプダウン制御のフローチャートである。図５、図６において、図１〜図４と同じ構成要素については同じ符号を用い説明を省略する。図５、図６により本発明の第３の実施の形態における空気調和機の動作、作用について説明する。
【００２８】
ポンプダウンの開始（ＳＴＥＰ０）を、ポンプダウン開始ＳＷ８操作（ＳＴＥＰ１）によって行い、圧縮機１２を運転開始（ＳＴＥＰ２）する。また、圧縮機１２を運転開始（ＳＴＥＰ２）と同時に吸入圧力検出手段１７で吸入圧力を検出し（ＳＴＥＰ２０）、吸入圧力表示手段１８で吸入圧力を表示する（ＳＴＥＰ２１）。液管閉鎖弁５を閉め（ＳＴＥＰ３）、吸入圧力しきい値判定手段１９で吸入圧力しきい値判定（ＳＴＥＰ２２）を行い、吸入圧力がしきい値Ｐ１を超えた場合（ＳＴＥＰ２２のＮｏ）は吸入圧力しきい値判定
（ＳＴＥＰ２２）を継続する。吸入圧力がしきい値Ｐ１以下の場合（ＳＴＥＰ２２のＹｅｓ）は、吸入圧力しきい値後時間カウント手段２０で時間をカウントし（ＳＴＥＰ２３）、吸入圧力しきい値後時間カウント表示手段２１で吸入圧力しきい値後の時間経過を表示する（ＳＴＥＰ２４）。この時、ガス管閉鎖弁６の閉操作（ＳＴＥＰ１３）を行う。吸入圧力しきい値後時間しきい値判定手段２２により時間カウント（ＳＴＥＰ２３）が、しきい値Ｔ２以下の場合（ＳＴＥＰ２５のＮｏ）は時間カウント（ＳＴＥＰ２３）、時間カウント表示（ＳＴＥＰ２４）を継続して行い、しきい値Ｔ２を超えた場合（ＳＴＥＰ２５のＹｅｓ）は圧縮機１２の運転を停止（ＳＴＥＰ８）してポンプダウンを終了（ＳＴＥＰ９）する。
【００２９】
上記のことより、ポンプダウン開始スイッチ操作で圧縮機運転を開始し、液管閉鎖弁を閉め冷媒回収を開始して吸入圧力を表示し、吸入圧力がポンプダウン吸入圧力しきい値以下になれば、時間カウントを開始して表示を行い、ガス側閉鎖弁を閉めて、ポンプダウン吸入圧力しきい値後時間しきい値以上経過すると圧縮機を自動停止することにより、接続配管及び室内機の冷媒が回収されるまでは吸入圧力を表示して吸入圧力の経時変化をユーザーに示し、接続配管及び室内機の冷媒が回収された後は、ガス側閉鎖弁を閉めるタイミング及び圧縮機停止タイミングを明確にユーザーに示すことができ接続配管及び室内機に冷媒が残ることのなくポンプダウンを行うことができる。
【００３０】
（実施の形態４）
図７は、本発明の第４の実施の形態における空気調和機のポンプダウン制御のフローチャートである。図７において、図１〜図６と同じ構成要素については同じ符号を用い説明を省略する。図７及び図３により本発明の第４の実施の形態における空気調和機の動作、作用について説明する。
【００３１】
低圧圧力ＳＷ動作後時間選択手段２３で低圧圧力ＳＷ動作後時間しきい値判定（ＳＴＥＰ３２）のしきい値Ｔ１選択を可能とし（ＳＴＥＰ３０）、選択した低圧圧力ＳＷ動作後時間のしきい値Ｔ１を記憶しておき（ＳＴＥＰ３１）、低圧圧力ＳＷ動作後時間しきい値判定（ＳＴＥＰ３２）を行い、時間カウント（ＳＴＥＰ１１）がしきい値Ｔ１以下の場合（ＳＴＥＰ３２のＮｏ）は時間カウント（ＳＴＥＰ１１）、時間カウント表示（ＳＴＥＰ１２）を継続して行い、しきい値Ｔ１を超えた場合（ＳＴＥＰ３２のＹｅｓ）は圧縮機１２の運転を停止（ＳＴＥＰ８）してポンプダウンを終了（ＳＴＥＰ９）する。
【００３２】
上記のことより、設置条件により異なるガス側閉鎖弁の作業性によって低圧圧力スイッチ動作後圧縮機停止までの時間を選択可能とし、接続配管及び室内機に冷媒が残ることのなくポンプダウンを行うことができる。
【００３３】
（実施の形態５）
図８は、本発明の第５の実施の形態における空気調和機のポンプダウン制御のフローチャートである。図８において、図１〜図７と同じ構成要素については同じ符号を用い説明を省略する。以下、図８及び図１により本発明の第５の実施の形態における空気調和機の動作、作用について説明する。
【００３４】
ポンプダウン時間カウント手段２４で、ポンプダウン開始ＳＷ操作（ＳＴＥＰ１）からのポンプダウン時間をカウントし（ＳＴＥＰ４１）、ポンプダウン最大時間しきい値判定手段２５でポンプダウン時間カウント（ＳＴＥＰ４１）を判定する（ＳＴＥＰ４２）。判定結果が最大しきい値Ｔ３未満（ＳＴＥＰ４２のＮｏ）の場合、低圧圧力ＳＷ動作判定（ＳＴＥＰ４）を継続して行い、判定結果が最大しきい値Ｔ３以上（ＳＴＥＰ４２のＹｅｓ）の場合、圧縮機１２の運転を停止（ＳＴＥＰ４３）し、ポンプダウン未完了表示手段２６により表示を行う（ＳＴＥＰ４４）。
【００３５】
上記のことより、一定時間冷媒回収運転を行っても低圧圧力スイッチが動作しなければ、圧縮機を自動停止して、ポンプダウンが未完了であることを表示しポンプダウンをするのに不具合箇所があることをユーザーに示すことができる。
【産業上の利用可能性】
【００３６】
以上のように、本発明にかかる空気調和機は、低圧圧力スイッチ装着しポンプダウン時に低圧圧力スイッチ動作後経時的に時間カウント表示を行って、一定時間経過すると圧縮機停止を行うことにより、接続配管及び室内機の冷媒を確実に回収した後圧縮機停止までの時間を明確に表示して接続配管及び室内機に冷媒が残ることのないポンプダウンを可能にすることにより、室内機形態、設置状況、環境温度条件に違いが有っても、確実に冷媒を室外機に回収できるので、多室型空気調和機、蓄熱式多室形空気調和機等にも適用できる。
【図面の簡単な説明】
【００３７】
【図１】本発明の実施の形態１，５における空気調和機の構成概念図
【図２】本発明の実施の形態１における空気調和機のポンプダウン制御のフローチャート
【図３】本発明の実施の形態２，４における空気調和機の構成概念図
【図４】本発明の実施の形態２における空気調和機のポンプダウン制御のフローチャート
【図５】本発明の実施の形態３における空気調和機の構成概念図
【図６】本発明の実施の形態３における空気調和機のポンプダウン制御のフローチャート
【図７】本発明の実施の形態４における空気調和機のポンプダウン制御のフローチャート
【図８】本発明の実施の形態５における空気調和機のポンプダウン制御のフローチャート
【図９】従来の空気調和機のポンプダウン制御のフローチャート
【符号の説明】
【００３８】
１  室外機
２  室内機
３  室外熱交換器
４  室外ファン
５  液管閉鎖弁
６  ガス管閉鎖弁
７  低圧圧力スイッチ
８  ポンプダウン開始手段（スイッチ）
９  ポンプダウン終了手段（スイッチ）
１０  ポンプダウン完了表示手段
１１  接続配管
１２  圧縮機
１３  低圧圧力スイッチ動作判定手段
１４  低圧圧力スイッチ動作後時間カウント手段
１５  低圧圧力スイッチ動作後時間カウント表示手段
１６  低圧圧力スイッチ動作後時間しきい値判定手段
１７  吸入圧力検出手段
１８  吸入圧力表示手段
１９  吸入圧力しきい値判定手段
２０  ポンプダウン吸入圧力しきい値後時間カウント手段
２１  ポンプダウン吸入圧力しきい値後時間カウント表示手段
２２  ポンプダウン吸入圧力しきい値後時間しきい値判定手段
２３  低圧圧力スイッチ動作後時間しきい値選択手段
２４  ポンプダウン時間カウント手段
Ｔ１，Ｔ１  時間しきい値
Ｔ３  ポンプダウン最大時間しきい値
Ｐ１  吸入圧力しきい値
ＳＴＥＰ０  ポンプダウン開始
ＳＴＥＰ１  ポンプダウン開始ＳＷ操作
ＳＴＥＰ２  圧縮機運転開始
ＳＴＥＰ３  液管閉鎖弁閉操作
ＳＴＥＰ４  低圧圧力ＳＷ動作判定
ＳＴＥＰ５  ポンプダウン完了表示
ＳＴＥＰ６  ガス管閉鎖弁閉操作
ＳＴＥＰ７  ポンプダウン終了ＳＷ操作
ＳＴＥＰ８  圧縮機運転停止
ＳＴＥＰ９  ポンプダウン終了
【図１】
2008157512.tif 000003
【図２】
2008157512.tif 000004
【図３】
2008157512.tif 000005
【図４】
2008157512.tif 000006
【図５】
2008157512.tif 000007
【図６】
2008157512.tif 000008
【図７】
2008157512.tif 000009
【図８】
2008157512.tif 000010
【図９】
2008157512.tif 000011